(57)【要約】木材用の製材ライン（１）を動作させる方法であって、製材ライン（１）は、製材ライン（１）で木材（２）を搬送する搬送手段（３）と、木材（２）を加工する加工装置（６，７）と、を備える、方法では、木材（２）が製材ライン（１）に供給され、木材（２）が製材ライン（１）で長手方向に前方へ搬送され、木材（２）の全長が決定され、木材（２）が加工装置（６，７）に導かれ、木材（２）が製材ライン（１）で前方へ搬送されているときに、同時に、加工装置（６，７）で木材（２）が加工される。加工装置（６，７）の外にある木材の一部の長さは、カメラ装置（９）を用いて決定され、加工装置（６，７）の中の木材（２）の端部の位置は、木材（２）の全長に基づいて、および加工装置の外にある木材（２）の一部の長さに基づいて、決定される。【選択図】図１
2020513359.tif 000002
【特許請求の範囲】
【請求項１】
木材用の製材ライン（１）を動作させる方法であって、前記製材ライン（１）は、前記製材ライン（１）で木材（２）を搬送する搬送手段（３）と、木材（２）を加工する加工装置（６，７）と、を備え、前記方法では、
−木材（２）が前記製材ライン（１）に供給され、
−木材（２）が前記製材ライン（１）で長手方向に前方へ搬送され、
−木材（２）の全長が決定され、
−木材（２）が前記加工装置（６，７）に導かれ、木材（２）が前記製材ライン（１）で前方へ搬送されているときに、同時に、前記加工装置（６，７）で木材（２）が加工され、
前記加工装置（６，７）の外にある木材の一部の長さは、カメラ装置（９）を用いて決定され、前記加工装置（６，７）の中の木材（２）の端部の位置は、木材（２）の全長に基づいて、および前記加工装置（６，７）の外にある木材（２）の一部の長さに基づいて、決定されることを特徴とする、方法。
【請求項２】
請求項１に記載の方法であって、前記加工装置（６，７）は、木材（２）の端部の位置に基づいて制御されることを特徴とする、方法。
【請求項３】
請求項２に記載の方法であって、前記加工装置（６，７）は、木材（２）を加工するためのブレードを備え、前記ブレードの位置は、木材（２）の端部の位置に基づいて制御されることを特徴とする、方法。
【請求項４】
請求項１から３のいずれか１項に記載の方法であって、前記加工装置（６，７）の外にある木材（２）の一部の長さは、前記加工装置（６，７）の前およびそれの後で木材（２）の搬送方向で前記カメラ装置（９）を用いて決定されることを特徴とする、方法。
【請求項５】
請求項１から４のいずれか１項に記載の方法であって、前記製材ライン（１）の縁にセキュリティエリアがあり、前記セキュリティエリアは、前記カメラ装置（９）で観測され、人、予め定められていない物体、または他の物体が、前記セキュリティエリア内で検出された場合、警報が行われるおよび／または前記製材ライン（１）の電源が切られることを特徴とする、方法。
【請求項６】
請求項１から５のいずれか１項に記載の方法であって、前記製材ライン（１）の動作は、前記カメラ装置（９）で観測され、前記製材ライン（１）が特定されていない仕方で動作していることが検出された場合、警報が行われるおよび／または前記製材ライン（１）の電源が切られることを特徴とする、方法。
【請求項７】
木材用の製材ライン（１）であって、
−前記製材ライン（１）で長手方向に木材（２）を搬送する搬送手段（３）と、
−木材（２）が前記製材ライン（１）で長手方向に前方へ搬送されているときに、同時に、木材を加工する加工装置（６，７）と、
−木材（２）の全長を決定する測定装置（５）と
、を備え、
前記製材ライン（１）は、前記加工装置（６，７）の外にある木材（２）の一部の長さを決定するためのカメラ装置（９）と、制御システム（１０）と、を備え、前記制御システム（１０）は、木材（２）の全長の測定データおよび前記カメラ装置（９）の測定データを受け取るように、およびそれらに基づいて前記加工装置（６，７）内の木材（２）の端部の位置を決定するように、なっていることを特徴とする、製材ライン（１）。
【請求項８】
請求項６に記載の製材ライン（１）であって、前記制御システム（１０）は、木材（２）の端部の位置に基づいて前記加工装置（６，７）を制御するようになっていることを特徴とする、製材ライン（１）。
【請求項９】
請求項７に記載の製材ライン（１）であって、前記加工装置（６，７）は、木材（２）を加工するためのブレードを備え、前記制御システム（１０）は、木材（２）の端部の位置に基づいて前記ブレードの位置を制御するようになっていることを特徴とする、製材ライン（１）。
【請求項１０】
請求項７から９のいずれか１項に記載の製材ライン（１）であって、前記カメラ装置（９）は、前記加工装置（６，７）の前およびそれの後で木材（２）の搬送方向で前記加工装置（６，７）の外にある木材（２）の一部の長さを決定するようになっていることを特徴とする、製材ライン（１）。
【請求項１１】
請求項７から１０のいずれか１項に記載の製材ライン（１）であって、前記製材ライン（１）の隣にセキュリティエリアがあり、前記セキュリティエリアは、そこに配置されるカメラ（９）によって観測され、人、予め定められていない物体、または他の物体が、前記セキュリティエリア内で検出された場合、前記制御システム（１０）が、警報を行うおよび／または前記製材ライン（１）の電源を切るようになっていることを特徴とする、製材ライン（１）。
【請求項１２】
請求項７から１１のいずれか１項に記載の製材ライン（１）であって、前記製材ライン（１）の動作を観測するようになっているカメラ装置（９）があり、前記製材ライン（１）が所定外の仕方で動作していることが検出された場合、前記制御システム（１０）が、警報を行うおよび／または前記製材ライン（１）の電源を切るようになっていることを特徴とする、製材ライン（１）。
【請求項１３】
請求項７から１２のいずれか１項に記載の製材ライン（１）であって、前記カメラ装置（９）は、前記製材ライン（１）で搬送される木材（２）を撮像するカメラと、前記カメラによって生成された画像から木材の長さデータを決定するシステムと、を備えることを特徴とする、製材ライン（１）。
【発明の詳細な説明】
【技術分野】
【０００１】
本発明の対象は、製材ラインを動作させる請求項１のプレアンブルに従った方法である。本発明の対象は、請求項７のプレアンブルに従った製材ラインでもある。
【０００２】
本発明は、製材ラインの木材が板および／または板材に製材される製材所で動作される製材ラインに関する。製材ラインは、チッピングブレードで木材の側部がチッピングによってレベリングされる、チッピングキャンターなどの、木材を加工する装置、木材が製材される製材ユニット、および端板の側部をレベリングするエッジングブレードを、備える。木材は、コンベヤーおよび供給ローラーによって製材ラインで長手方向に前方へ運ばれる。
【背景技術】
【０００３】
製材ラインの最初に測定装置があり、その測定装置で木材の形状が決定される。測定装置は、制御ユニットに接続され、それは、加工装置と、加工装置に接続されたブレードおよび供給ローラーとを制御する。木材の搬送は、フォトセルによってモニターされ、加工装置のブレードおよび／または供給ローラーが、適時に所望の位置に移されることができるようになっている。
【０００４】
フォトセルで制御する上での問題は、フォトセルを確実な方法で加工装置内で動作させるのが難しいことである。例えば、加工中の木材からの切りくずおよびおがくずが、フォトセルの前で漂ってその正常機能を失わせることがある。このため、フォトセルは、加工装置の外に配置される必要があり、フォトセルと、制御される加工装置内のブレードおよび／または供給ローラーとの間の距離が大きくなり、それは、適時に所望の位置にブレードおよび／またはローラーを搬送するのをより難しくする。加工装置内の木材の端部の正確な位置が、不明であるからである。これは、一例として、挽材の品質、および加工装置の誤動作を引き起こし得る。この問題は、加工装置の前およびその後に木材の全長にわたっていくつかのフォトセルを並べて配置することによって軽減することができ、加工装置内の木材の端部の位置を、木材の全長が知られているときに、より正確に決定することができる。この解決策の不都合な点は、大量のフォトセルが必要であることであり、それは、製材ラインのオートメーションを複雑にし、コストを増加させる。さらに、大量のフォトセルは、システムおよびそれのユーザービリティの全体的な信頼性を低減させる。
【発明の概要】
【発明が解決しようとする課題】
【０００５】
本発明の目的は、前述の問題を軽減することができる、方法および製材ラインを実現することである。
【課題を解決するための手段】
【０００６】
本発明の目的は、請求項１に従った方法によっておよび請求項７に従った製材ラインによって達成される。
【０００７】
発明に従った方法では、木材が製材ラインに供給され、木材が長手方向に製材ラインで前へ搬送される。木材の全長が決定され、木材は、加工装置に導かれ、加工装置で木材が加工され、同時に、製材ラインで前へ搬送される。加工装置の外の木材の一部の長さは、カメラ装置を用いて決定され、加工装置の中の木材の端部の位置は、木材の全長に基づいて、および加工装置の外にある木材の一部の長さに基づいて、決定される。
【０００８】
本発明に従った製材ラインは、製材ラインで長手方向に木材を搬送するための搬送手段と、木材が製材ラインで前に搬送されているときに、同時に木材を加工するための加工装置と、木材の全長を決定するための測定装置と、を備える。製材ラインは、加工装置の外にある木材の一部の長さを決定するためのカメラ装置と、制御システムと、を備え、制御システムは、木材の全長の測定データおよびカメラ装置の測定データを受け取るように、およびそれらに基づいて加工装置内の木材の端部の位置を決定するように、なっている。重要な利点が、本発明によって実現される。
【０００９】
加工装置の外にある木材の一部の長さを、カメラ測定に基づいて正確に決定することができる。木材の全長および加工装置の外にある一部の長さが知られているときに、加工装置内の木材の端部の位置を、非常に正確に決定することができる。加工装置内のブレードおよび／またはローラーは、適時に所望の位置に搬送されることができる。その結果として、加工装置は、タイミング良く制御されることができ、加工装置は、フォトセルによる従来の制御よりも信頼性が高く動作するように作られることができる。さらに、加工装置に関連するフォトセルの量は、製材ラインのオートメーションのために、簡略化されることができる。木材が加工装置の外にあるときに、木材の全長も決定することができる。
【００１０】
カメラ装置は、機械視覚装置のカメラであることができ、例えば、それによって製材ラインの木材が撮像される。機械視覚装置は、カメラによって生成された画像を処理するための、およびカメラによって生成された画像からの所望のデータを決定するための、必要なソフトウェアおよびハードウェアを備える。
【００１１】
カメラ装置は、製材ラインのアラーム、メンテナンス、個人の安全監視、および火災警報などの、他の使用目的にも利用することができる。
【００１２】
以下では、本発明は、添付図面を参照して例を用いてより詳しく説明され、添付図面は、本発明の一実施形態に従った製材ラインの上面図を表している。
【図面の簡単な説明】
【００１３】
【図１】木材２が板および／または板材に製材される製材ライン１を表す。
【発明を実施するための形態】
【００１４】
図は、木材２が板および／または板材に製材される製材ライン１を表す。製材ライン１は、製材ライン１で長手方向に木材２を搬送するための、例えば１つ以上のコンベヤー３および搬送ローラーである、搬送手段を備える。木材２の搬送方向は、矢印４によって図で示されている。製材ライン１は、木材の全長、直径、コニシティ、楕円率および／または湾曲などの、寸法および／または形状を決定するための、測定装置５を備える。
【００１５】
製材ライン１は、木材２が製材ライン１で前へ搬送されているときに、同時に木材２を加工するための、加工装置６，７を備える。典型的に、木材の搬送方向４にある第１加工装置６は、カッターヘッドを備えるチッピングキャンターであり、カッターヘッドには、チッピングによって木材２の両側をレベリングするためのチッピングブレードが備わっている。カッターヘッドは、木材２のルートの両側に配置される。木材２の側部は、両側の２つの側部のみで、または４つの側部で、チッピングキャンター６でレベリングされることができる。チッピングキャンター６に関連して、カントソーがあることができ、カントソーによって、側板がチッピングキャンタリングの後に木材２から挽き割られる。
【００１６】
図に従った製材ライン１は、木材２を加工するための少なくとも第２加工手段７も備える。第２加工装置７は、木材２を板および／または板材に製材するための製材ユニットである。製材ライン１は、分離ユニット８を備え、それは、木材２の搬送方向で製材ユニットの後に配置される。分離ユニットでは、挽板および／または挽材が木材２から切り離される。製材ユニット７は、木材２を製材するための円形ブレードを備える。
【００１７】
加工装置６，７は、ケースを備え、その中に、ブレードおよび／または木材を機械加工する他の部品および／または引き込みローラーおよびそれに接続されたガイドが、配置される。木材は、ケースを通って搬送される。木材がケースに導入される供給開口がある。さらに、木材がケースから出る出口開口がある。
【００１８】
典型的に、製材ライン１は、木材を回転させる回転装置、チッピングキャンタリングの後の寸法および／または形状を測定する第２測定装置、および板を縁取る１つ以上のエッジングユニットなどの、他の装置も備える。
【００１９】
製材ライン１は、木材２が加工装置６，７内に部分的にあるという状況で加工装置６，７の外にある木材の一部の長さを決定する１つ以上のカメラ装置９を備える。カメラ装置９は、ケースの外にある木材の一部の長さを決定する。木材２の全長および加工装置の外にある一部の長さが知られているときに、加工装置６，７内の木材２の端部の位置を決定することができる。カメラ装置９は、加工装置６，７の前、および／またはそれの後で、木材２の搬送方向で加工装置６，７の外にある木材２の一部の長さを決定するようになっている。加工装置６，７の外にある木材２の一部の長さを加工装置６，７の前およびそれの後で決定する場合、加工装置６，７内の木材２の前端および後端の位置を決定することができる。さらに、カメラ９は、距離計を備えることができる。
【００２０】
カメラ装置は、機械視覚装置であることができ、それは、１つ以上のカメラと、カメラによって生成された画像を処理するのに、およびカメラによって生成された画像から木材２の長さのデータを決定するのに、必要なソフトウェアおよびハードウェアと、を備える。木材２が加工装置６，７の完全に外にあるときに、カメラ装置を用いて木材２の全長も決定することができる。カメラは、典型的に、加工装置の前でおよび／またはそれの後で製材ライン１の上に、または製材ライン１に対して側方に、配置される。カメラ装置９は、加工装置６，７のケースの外に配置される。
【００２１】
製材ライン１は、制御システム１０も備え、それは、カメラ装置９のおよび／または測定装置５の測定データを受け取るようになっている。制御システム１０は、カメラ装置９の測定データに、および木材２の全長の測定データに、基づいて、木材２の搬送方向４で加工装置６，７内の木材２の端部の位置を決定するようになっている。制御システム１０は、木材２の端部の決定された位置に基づいて加工装置６，７を制御するようにもなっている。加工装置６，７は、木材２を加工するためのブレードを備え、制御システム１０は、例えば、木材２の端部の位置に基づいて木材２の直径の方向で、ブレードの位置を制御するようになっている。カメラによって生成された画像から木材２の長さを決定する、カメラ装置９のソフトウェアおよび他のハードウェアは、制御システム１０の一部であることができる。
【００２２】
加工装置６，７がチッピングキャンターである場合、制御システム１０は、チッピングキャンターのカッターヘッドを制御するようになっており、木材２の端部がカッターヘッドに近づいているときに、カッターヘッドが所望の時間で所望の位置に移動するようになっている。加工装置６，７が製材ユニットである場合、制御システム１０は、例えば円形ブレードである、鋸刃を制御するようになっており、木材２の端部が鋸刃に近づいているときに、鋸刃が所望の時間で所望の位置に移動するようになっている。加工装置６，７が木材２を導くためのガイドローラーを備える場合、制御システム１０は、それらも木材２の端部の位置に基づいて制御するようになっていることができる。
【００２３】
図に従った製材ライン１は、以下の仕方で動作する。木材２が製材ライン１に供給され、木材が長手方向に製材ライン１で前方へ搬送される。木材２の全長が、測定装置５で決定される。さらに、直径、コニシティ、楕円率および／または湾曲などの、木材２の他の寸法および／または形状も、測定装置５を用いて決定される。測定装置５の測定データは、制御システム１０に転送される。
【００２４】
木材２は、加工装置６に搬送され、木材２が製材ライン１で前へ搬送されているときに、加工装置６によって木材２が同時に加工される。加工された木材２は、加工装置６から出る。その後、木材２は、直接または他の加工および／または機械加工段階を通って、木材２を加工する第２加工装置７に搬送される。加工装置６がチッピングキャンターである場合、木材２の対向する２つの側部または４つの側部は、チッピングによってレベリングされる。加工装置６または第２加工装置７が製材ユニットである場合、木材２は、鋸刃によって（例えば円形ブレードによって）、板および／または板材などの、挽材に製材される。板は、分離装置８によって分けられる。
【００２５】
加工装置６，７の外にある木材２の一部の長さは、木材２が部分的に加工装置６，７内にあるときに同時にカメラ装置９によって決定され、木材２は、製材ライン１で前へ搬送される。木材２が加工装置６，７の完全に外にあるときに、カメラ装置９を用いて木材２の全長も決定することができる。カメラ装置９によって生成された測定データは、制御システム１０に転送され、制御システム１０によって、加工装置６，７内の木材２の端部の位置が、木材２の全長に基づいて、および加工装置６，７の外にある木材の一部の長さに基づいて、決定される。加工装置６，７内の木材２の端部の位置が、木材の搬送方向４で決定される。
【００２６】
加工装置６，７の外にある木材の一部の長さが、加工装置６，７の前および／またはそれの後で木材２の搬送方向でカメラ装置９によって決定される。これに基づいて、加工装置６，７内の木材のフロントヘッドおよび／またはリアエンドの位置が、決定される。加工装置６，７の前の木材２の一部の長さが決定されるときに、加工装置６，７内の木材２の前端の位置が、決定されることができる。加工装置６，７の後の木材２の一部の長さが決定されるときに、加工装置６，７内の木材２の後端の位置が、それぞれ、決定されることができる。加工装置６，７の供給開口および／または出口開口の外にある木材２の一部の長さは、カメラ装置９を用いて決定される。
【００２７】
加工装置６，７は、制御システム１０によって木材の端部の位置に基づいて制御される。制御システム１０によって、ブレードで木材を機械加工する加工装置６，７のブレードの位置は、木材２の端部の位置に基づいて木材２の直径の方向で制御される。その後、ブレードは、木材２の前端がブレードに近づいているときに、所望の時間に所望の位置に移される。加工装置６がチッピングキャンターである場合、カッターヘッドは、木材２の端部がカッターヘッドに近づいているときに、所望の時間に所望の位置に制御システムによって移される。加工装置が製材ユニットである場合、例えば円形ブレードである、鋸刃は、木材２の前端がカッターヘッドに近づいているときに、所望の時間に所望の位置に制御システムによって移される。ブレードは、木材２の前端がブレードから所定の距離離れているときに、所望の位置に移される。木材２の後端がブレードを通過した後に、ブレードは、次の木材２のための所望の位置に移される。
【００２８】
加工装置６，７内の木材２の前端および／または後端の位置データは、木材２を機械加工するブレードの位置決めに加えてまたはそれに代えて、木材を制御する供給ローラーおよび／または他の機械部品の位置決めに、木材２を機械加工するブレードを冷却する水注入システムの制御に、洗浄に使用される圧縮空気送風の制御に、および／またはオペレーターのユーザーインターフェースのリアルタイムモニタリングビューの更新に、使用されることができる。
【００２９】
製材ライン１の縁にセキュリティエリアがあり、そのセキュリティエリアは、カメラ装置９で観測され、観測データは、制御システム１０に転送される。セキュリティエリアは囲まれることができ、製材ライン１の動作中はそのエリアに立ち入り禁止である。人、予め定められていない物体、または他の物体が、セキュリティエリア内で検出された場合、警報が行われるおよび／または制御システム１０によって制御されて製材ライン１の電源が切られる。
【００３０】
さらに、製材ライン１の動作は、カメラ装置９で観測され、観測データが制御システム１０に転送される。製材ライン１が所定外の仕方で動作していることが検出された場合、警報が行われるおよび／または制御システム１０によって制御されて製材ライン１の電源が切られる。
【００３１】
当業者には、本発明が上述の実施形態のみに限定されず、それは次に示される特許請求の範囲内で変更可能であることが、明らかである。
【図１】
2020513359.tif 000003
【国際調査報告】
2020513359.tif 000004
2020513359.tif 000005
2020513359.tif 000006
2020513359.tif 000007